(57)【要約】【課題】組付性を向上させながらも、フレームと板状体との結合強度を向上し得るパネルを提供する。【解決手段】パネル１は、板状体１０と、この板状体の四周を囲むように設けられ、該板状体の端部１０ａが挿入される挿入溝１４が内周側に設けられたフレーム１３と、該挿入溝の溝幅方向両内壁１５，１５に沿うように設けられた両側片部２１，２１及びこれら両側片部を連結し該挿入溝の溝底１７側に設けられた連結片部２３を有した端部保持部材２０と、前記フレームの外周側から該挿入溝に挿入されて前記両側片部を前記板状体の端部に押し付ける押付補助部材２５と、を備えている。【選択図】図１
2019027118.tif 000002
【特許請求の範囲】
【請求項１】
板状体と、この板状体の四周を囲むように設けられ、該板状体の端部が挿入される挿入溝が内周側に設けられたフレームと、該挿入溝の溝幅方向両内壁に沿うように設けられた両側片部及びこれら両側片部を連結し該挿入溝の溝底側に設けられた連結片部を有した端部保持部材と、前記フレームの外周側から該挿入溝に挿入されて前記両側片部を前記板状体の端部に押し付ける押付補助部材と、を備えていることを特徴とするパネル。
【請求項２】
請求項１において、
前記フレームの挿入溝の溝長手方向に沿って間隔を空けて設けられる複数の前記押付補助部材を備えていることを特徴とするパネル。
【請求項３】
請求項１または２において、
前記端部保持部材は、前記連結片部が前記挿入溝の開口側に向けて変位されれば、両側片部に互いに向き合うように設けられた押圧部が互いに近接する方向に変位する構成とされており、
前記押付補助部材は、前記挿入溝の溝底に対して該挿入溝の開口側に進出される進出部を備えていることを特徴とするパネル。
【請求項４】
請求項１または２において、
前記挿入溝の溝幅方向両内壁と前記端部保持部材の両側片部との間にそれぞれ挿入されて両側片部のそれぞれを前記板状体の端部に押し付ける一対の前記押付補助部材を備えていることを特徴とするパネル。
【発明の詳細な説明】
【技術分野】
【０００１】
本発明は、板状体の四周を囲むように枠状のフレームを設けたパネルに関する。
【背景技術】
【０００２】
従来より、ガラスパネル等の板状体の四周を囲むように枠状のフレームを設けたパネルが知られている。
例えば、下記特許文献１には、サッシュに、複層ガラスの周縁部に嵌め付けられたグレージングチャンネルが納められる凹状溝を設けた板体が開示されている。また、この板体は、グレージングチャンネルの両内周面に、複層ガラスの表面に接触する凸条部を設けた構成とされている。
【先行技術文献】
【特許文献】
【０００３】
【特許文献１】特開平１１−１７３０１９号公報
【発明の概要】
【発明が解決しようとする課題】
【０００４】
しかしながら、上記特許文献１に記載されたような板体は、複層ガラス表面とグレージングチャンネルの凸条部との相互の摩擦力によって複層ガラスがサッシュに対して保持される。そのため、摩擦力を小とすれば、外れ易くなり、摩擦力を大とすれば、組み付ける際の抵抗が大となり、組み付け難くなることが考えられ、更なる改善が望まれる。
【０００５】
本発明は、上記実情に鑑みてなされたものであり、組付性を向上させながらも、フレームと板状体との結合強度を向上し得るパネルを提供することを目的としている。
【課題を解決するための手段】
【０００６】
上記目的を達成するために、本発明に係るパネルは、板状体と、この板状体の四周を囲むように設けられ、該板状体の端部が挿入される挿入溝が内周側に設けられたフレームと、該挿入溝の溝幅方向両内壁に沿うように設けられた両側片部及びこれら両側片部を連結し該挿入溝の溝底側に設けられた連結片部を有した端部保持部材と、前記フレームの外周側から該挿入溝に挿入されて前記両側片部を前記板状体の端部に押し付ける押付補助部材と、を備えていることを特徴とする。
【発明の効果】
【０００７】
本発明に係るパネルは、上述のような構成としたことで、組付性を向上させながらも、フレームと板状体との結合強度を向上させることができる。
【図面の簡単な説明】
【０００８】
【図１】（ａ）〜（ｃ）は、本発明の一実施形態に係るパネルの一例を模式的に示し、図２におけるＸ−Ｘ線矢視に対応させた一部破断概略横断面図である。
【図２】同パネルの概略正面図である。
【図３】（ａ）、（ｂ）は、本発明の他の実施形態に係るパネルの一例を模式的に示し、図１（ａ）、（ｃ）にそれぞれ対応させた一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、各実施形態に係るパネルを設置した状態を基準として上下方向等の方向を説明する。
図１及び図２は、第１実施形態に係るパネルの一例を模式的に示す図である。
【００１０】
本実施形態に係るパネル１は、図１及び図２に示すように、板状体１０と、この板状体１０の端部１０ａが挿入される挿入溝１２，１４が内周側に設けられたフレーム１１，１１，１３，１３と、を備えている。また、パネル１は、挿入溝１４の溝幅方向両内壁１５，１５に沿うように設けられた両側片部２１，２１及びこれら両側片部２１，２１を連結し挿入溝１４の溝底１７側に設けられた連結片部２３を有した端部保持部材２０を備えている。
【００１１】
このパネル１は、一方向に長尺状とされ、略矩形平板状とされている。このパネル１は、長手方向を上下方向に沿わせ、間仕切パネルや建具パネルとして施工されるものでもよい。このパネル１を建具パネルとした場合には、フレーム１１，１１，１３，１３の適所に蝶番等の連結部材や、ランナーや戸車等の走行案内部材、ガイド溝等を設けた構成としてもよい。また、このパネル１は、住居等の建物内に施工されるものでもよく、屋内外を区画する壁体を貫通するように設けられた開口に施工されるものでもよい。また、このパネル１は、フレーム１１，１１，１３，１３が框部に埋込状に設けられて框状パネルを構成するものでもよく、さらには、フレーム１１，１１，１３，１３自体が框状とされた框状パネルを構成するものでもよい。
【００１２】
板状体１０は、略矩形平板状とされている。本実施形態では、板状体１０は、アクリルやポリカーボネート等の合成樹脂系材料や、ガラス等の透光性材料から形成され、透光性を有した透光板とされている。この板状体１０は、例えば、二枚のガラス板を厚さ方向に接合した合わせガラスでもよい。
また、この板状体１０は、略無色透明とされたものに限られず、有色透明とされたものや半透明とされたものでもよい。この板状体１０としては、例えば、透明材料に着色剤が添加されて有色透明とされたものや、樹脂フィルム等が積層されて有色透明とされたものでもよい。また、この板状体１０としては、スモークガラス状やすりガラス状とされたものでもよく、また、二枚の透明（透光）パネル間に、和紙等のシート材を介在させた構成とされたものでもよく、その他、種々の構成とされたものでもよい。
また、この板状体１０は、本実施形態では、全体に亘って略一様な厚さとされ、厚さ方向両面が略平坦面状とされている。なお、板状体１０は、透光性を有したものに限られず、不透光な板体でもよく、また、厚さ方向両面が略平坦面状とされたものに限られず、凹凸が設けられたものでもよい。
【００１３】
四周のフレーム１１，１１，１３，１３は、図１に示すように、当該パネル１のパネル長手方向両側に設けられ、パネル幅方向に延びる横フレーム１１，１１と、当該パネル１のパネル幅方向両側に設けられ、パネル長手方向に延びる縦フレーム１３，１３と、を備えている。本実施形態では、パネル長手方向両側の横フレーム１１，１１と、パネル幅方向両側の縦フレーム１３，１３と、をいわゆる縦勝ち状に接合した構成としている。つまり、横フレーム１１，１１の長手方向の各端面と、各縦フレーム１３，１３の上端部及び下端部の互いに向き合う内側面と、を突き合わせて接合した構成としている。これら横フレーム１１，１１と縦フレーム１３，１３とは、溶接等によって接合されたものでもよく、適宜の接合部材を介して接合されたものでもよい。
【００１４】
また、これらフレーム１１，１１，１３，１３は、それぞれの長手方向に見て概ね方形状とされている。これらフレーム１１，１１，１３，１３は、金属系材料または合成樹脂系材料から形成されたものでもよい。金属系材料としては、アルミニウムやステンレス等が挙げられる。また、合成樹脂系材料としては、塩化ビニル樹脂や、その他、種々の樹脂の採用が可能であり、また、ガラス繊維や炭素繊維等の強化繊維を含んだいわゆる繊維強化樹脂でもよい。また、これら四周のフレーム１１，１１，１３，１３は、押出成形等によってそれぞれ全長に亘って略一様な断面形状とされたものでもよい。また、これら四周のフレーム１１，１１，１３，１３の表面は、塗装や化粧シートの貼着等によって適宜の表面化粧処理が施された化粧面としてもよい。
【００１５】
横フレーム１１のパネル長手方向に沿う寸法（見付寸法）及び縦フレーム１３のパネル幅方向に沿う寸法（見付寸法）並びにこれらのパネル厚さ方向に沿う寸法は、見栄えや強度上の観点や、板状体１０を安定的に保持する観点等から適宜の寸法としてもよい。これら四周のフレーム１１，１１，１３，１３の見付寸法及びパネル厚さ方向に沿う寸法は、例えば、１０ｍｍ〜６０ｍｍ程度としてもよい。
横フレーム１１，１１の挿入溝１２，１２は、横フレーム１１，１１の内周側となる互いに向き合う側（パネル長手方向中央側）において互いに向き合う方向に向けて開口するように全長に亘って設けられている。縦フレーム１３，１３の挿入溝１４，１４は、縦フレーム１３，１３の内周側となる互いに向き合う側（パネル幅方向中央側）において互いに向き合う方向に向けて開口するように全長に亘って設けられている。これら四周のフレーム１１，１１，１３，１３の挿入溝１２，１２，１４，１４は、パネル厚さ方向略中央部に位置するように設けられている。
【００１６】
本実施形態では、縦フレーム１３，１３の挿入溝１４，１４に端部保持部材２０，２０を設けた構成としている。また、パネル１は、図１（ａ）、（ｃ）に示すように、これら縦フレーム１３，１３の外周側となるパネル幅方向外側から挿入溝１４，１４に挿入されて端部保持部材２０の両側片部２１，２１を板状体１０の端部１０ａに押し付ける押付補助部材２５を備えている。
なお、パネル幅方向両側の縦フレーム１３，１３並びにこれらに設けられた端部保持部材２０及び押付補助部材２５は、互いに同様の構成であるので、以下では、一方を例にとって説明する。また、横フレーム１１，１１の挿入溝１２，１２にも端部保持部材２０や押付補助部材２５を設けた構成としてもよく、または、公知のガスケット（グレイジングガスケット）を設けた構成としてもよい。
【００１７】
縦フレーム１３の挿入溝１４は、パネル厚さ方向中央側に向く溝幅方向両内壁１５，１５と、パネル幅方向中央側に向く溝底１７と、によって区画されている。この挿入溝１４は、溝長手方向に見て、略方形溝状とされている。また、この挿入溝１４は、溝底１７が縦フレーム１３の概ねパネル幅方向中央部に位置するように設けられている。また、本実施形態では、両内壁１５，１５を、パネル幅方向中央側に向かうに従い拡開状に傾斜する傾斜面状としている。
また、縦フレーム１３には、挿入溝１４の溝幅方向両側開口縁から互いに対向する方向（パネル厚さ方向中央側）に向けて突出する抜止片部１６，１６が設けられている。
また、縦フレーム１３の挿入溝１４のパネル厚さ方向両側には、全長に亘って貫通するように中空部が設けられている。換言すれば、縦フレーム１３の挿入溝１４のパネル厚さ方向両側部位を、中空筒状としている。なお、縦フレーム１３の挿入溝１４のパネル厚さ方向両側部位をこのような中空筒状とした態様に代えて、中実状としてもよい。
【００１８】
端部保持部材２０は、図１（ｂ）に示すように、両側片部２１，２１と連結片部２３とによって挿入溝１４の開口側（パネル幅方向中央側）に向けて開口する略Ｕ字状（略コ字状）とされている。また、この端部保持部材２０は、全長に亘って一様な断面形状とされている。この端部保持部材２０は、縦フレーム１３の長手方向に長尺状とされている。この端部保持部材２０は、縦フレーム１３の略全長に亘って設けられたものでもよく、縦フレーム１３の長手方向に間隔を空けて複数箇所に設けられたものでもよい。
本実施形態では、この端部保持部材２０は、連結片部２３が挿入溝１４の開口側に向けて変位されれば、両側片部２１，２１に互いに向き合うように設けられた押圧部２２，２２が互いに近接する方向に変位する構成とされている。
【００１９】
連結片部２３は、パネル幅方向（挿入溝１４の溝深さ方向）に厚さ方向を沿わせて配される略平板状とされている。この連結片部２３のパネル厚さ方向（挿入溝１４の溝幅方向）に沿う寸法は、挿入溝１４の溝底１７側の溝幅寸法に応じた寸法とされている。
両側片部２１，２１は、連結片部２３のパネル厚さ方向両側端部からパネル幅方向中央側に向けて突出するように設けられている。これら両側片部２１，２１のパネル幅方向中央側端部（突出方向先端部）は、挿入溝１４の溝幅方向両側開口縁に設けられた抜止片部１６，１６に当接され、これら両側片部２１，２１の突出方向先端部のパネル幅方向中央側への移動が規制されている。
【００２０】
また、これら両側片部２１，２１の押圧部２２，２２は、パネル幅方向で略一致した位置となるように設けられている。本実施形態では、両側片部２１，２１は、それぞれのパネル幅方向途中部位に互いに向き合う方向に向けて突出するように屈曲部を設けた構成とされ、これら屈曲部を押圧部２２，２２としている。つまり、両側片部２２，２２は、長手方向に見て略Ｖ字状とされている。このように屈曲部を有した両側片部２２，２２は、連結片部２３がパネル幅方向中央側に向けて変位されれば、突出方向先端部が抜止片部１６，１６によって移動が規制されているので、折り畳まれるように変形し、押圧部２２，２２が互いに近接する方向に変位する。また、これら両側片部２１，２１は、上記のように折り畳み側に変形した後に、連結片部２３がパネル幅方向外側に向けて変位すれば、展開側に復元する構成とされたものでもよい。
【００２１】
また、これら両側片部２１，２１は、上記のような変形が可能なように連結片部２３よりも軟質な材料から形成されたものでもよい。例えば、連結片部２３を硬質樹脂製とし、両側片部２１，２１を、連結片部２３よりも軟質な樹脂製としてもよい。また、端部保持部材２０は、これら連結片部２３と両側片部２１，２１とが異材質成形（異材質同時複合成形）等によって一体的に形成された押出成形品や射出成形品等の樹脂成形品でもよい。また、これら両側片部２１，２１及び連結片部２３は、後記する押付補助部材２５による押付が可能なように、また、板状体１０の端部１０ａの保持性の観点等から適宜の硬度とされたものでもよい。また、端部保持部材２０は、樹脂製に限られず、金属製でもよい。
【００２２】
押付補助部材２５は、本実施形態では、挿入溝１４の溝底１７に対して挿入溝１４の開口側に進出される進出部２７を備えている。この押付補助部材２５の進出部２７が溝底１７に対して挿入溝１４の開口側に向けて進出すれば、進出部２７の先端部が連結片部２３に当接し、連結片部２３がパネル幅方向中央側に向けて変位される構成とされている。この進出部２７及び縦フレーム１３の両方または一方には、溝底１７に対して進出した進出部２７を保持する保持部が設けられている。本実施形態では、進出部２７は、ねじ作用によって挿入溝１４の溝底１７に対して進出する構成とされ、進出部２７の雄ねじ部及び縦フレーム１３の雌ねじ孔１８が進出部２７を保持する保持部として機能する。
縦フレーム１３の雌ねじ孔１８は、挿入溝１４の溝底１７を構成する溝底片部をパネル幅方向に貫通するように設けられている。この雌ねじ孔１８に、押付補助部材２５の進出部２７を捩じ込み、頭部２６をねじ作用方向に回転させれば、押付補助部材２５の進出部２７が溝底１７に対して進退される。
【００２３】
また、本実施形態では、図２に示すように、複数の押付補助部材２５，２５，２５を縦フレーム１３の挿入溝１４の溝長手方向に沿って間隔を空けて設けた構成としている。図例では、各縦フレーム１３，１３に、３つの押付補助部材２５，２５，２５を設けた構成としている。縦フレーム１３には、これら押付補助部材２５，２５，２５が設けられる位置に応じた位置となるように、雌ねじ孔１８が設けられている。
また、縦フレーム１３のパネル幅方向外側には、押付補助部材２５の頭部２６を収容する凹部が設けられている。この凹部は、パネル幅方向外側に向けて開口し、縦フレーム１３の全長に亘って延びるように溝状に設けられている。なお、この凹部の開口側を覆うカバー等を設けた構成としてもよい。また、このような凹部を縦フレーム１３の全長に亘って設けた態様に代えて、雌ねじ孔１８に応じた位置のみに設けた態様等としてもよい。
【００２４】
本実施形態に係るパネル１は、上述のような構成としたことで、組付性を向上させながらも、フレーム（縦フレーム）１３と板状体１０との結合強度を向上させることができる。
つまり、縦フレーム１３の外周側（パネル幅方向外側）から挿入溝１４に挿入されて端部保持部材２０の両側片部２１，２１を板状体１０の端部１０ａに押し付ける押付補助部材２５を設けた構成としている。従って、押付補助部材２５を縦フレーム１３の外周側から挿入溝１４に挿入させれば、端部保持部材２０の両側片部２１，２１が板状体１０の端部１０ａに押し付けられる。これにより、縦フレーム１３と板状体１０との結合強度を向上させることができる。また、押付補助部材２５を挿入溝１４に挿入していない状態では、板状体１０の端部１０ａに対する両側片部２１，２１の押付力が弱い状態であるので、板状体１０と縦フレーム１３とを容易に組み付けることができる。
【００２５】
また、本実施形態では、一方向に長尺状とされたパネル１の縦フレーム１３，１３のそれぞれに端部保持部材２０及び押付補助部材２５を設けた構成としている。従って、比較的に長尺となり、長手方向中央部位等がパネル幅方向外側に変形し易い傾向がある縦フレーム１３，１３と板状体１０との結合強度を向上させることができる。
また、本実施形態では、縦フレーム１３の挿入溝１４の溝長手方向に沿って間隔を空けて設けられる複数の押付補助部材２５，２５，２５を備えた構成としている。従って、縦フレーム１３の挿入溝１４の略全長に亘る長尺状とされた押付補助部材を設けた構成と比べて、組付性をより向上させることができる。
【００２６】
また、本実施形態では、端部保持部材２０を、連結片部２３が挿入溝１４の開口側に向けて変位されれば、両側片部２１，２１の押圧部２２，２２が互いに近接する方向に変位する構成としている。また、押付補助部材２５に、挿入溝１４の溝底１７に対して挿入溝１４の開口側に進出される進出部２７を設けた構成としている。従って、上述のように、押付補助部材２５の進出部２７を挿入溝１４の溝底１７に対して挿入溝１４の開口側に向けて進出させれば、端部保持部材２０の連結片部２３が挿入溝１４の開口側に向けて変位し、これに伴って、抜止片部１６，１６に先端部が規制された両側片部２１，２１の押圧部２２，２２が板状体１０の端部１０ａに向けて押し付けられる。これにより、板状体１０の端部１０ａに向けて両側片部２１，２１のそれぞれを押し付ける部材を個別に設けたものと比べて、部品点数を少なくすることができる。
【００２７】
また、本実施形態では、押付補助部材２５の進出部２７を、縦フレーム１３の雌ねじ孔１８に捩じ込まれる雄ねじ部としている。従って、挿入溝１４の溝底１７に対する進出部２７の進出度合いを調整することができる。また、押付補助部材２５の進出部２７を、挿入溝１４の溝底１７に対して退出させることも容易に可能となる。なお、このような態様に代えて、押付補助部材２５の進出部２７及び縦フレーム１３の溝底片部の両方または一方に、単一または複数の係止部を保持部として設けた構成等としてもよい。
また、本実施形態では、端部保持部材２０の両側片部２１，２１を、長手方向に見て略Ｖ字状とした例を示しているが、このような態様に代えて、略湾曲状としたり、波形状としたりしてもよく、その他、種々の変形が可能である。
【００２８】
次に、本発明に係る他の実施形態について、図面を参照しながら説明する。
なお、以下の実施形態では、第１実施形態との相違点について主に説明し、同様の構成については、同一の符号を付し、その説明を省略または簡略に説明する。
図３は、第２実施形態に係るパネルの一例を模式的に示す図である。
本実施形態に係るパネル１Ａは、端部保持部材２０Ａ及び押付補助部材２５Ａの構成が上記第１実施形態とは主に異なる。また、パネル１Ａは、挿入溝１４Ａの両内壁１５Ａ，１５Ａと端部保持部材２０Ａの両側片部２１Ａ，２１Ａとの間にそれぞれ挿入されて両側片部２１Ａ，２１Ａのそれぞれを板状体１０の端部１０ａに押し付ける一対の押付補助部材２５Ａ，２５Ａを備えている。
【００２９】
これら押付補助部材２５Ａ，２５Ａは、互いに略同様の構成とされており、パネル厚さ方向に厚さ方向を沿わせて配される略平板状とされている。また、本実施形態では、これら押付補助部材２５Ａ，２５Ａを、パネル幅方向中央側に向かうに従い先細り状としている。つまり、これら押付補助部材２５Ａ，２５Ａを、パネル幅方向外側部位の厚さ寸法よりもパネル幅方向中央側部位の厚さ寸法が小とされた楔状としている。また、これら押付補助部材２５Ａ，２５Ａの互いに向き合うパネル厚さ方向中央側に向く面を、パネル幅方向中央側に向かうに従い拡開状に傾斜する傾斜面２６Ａ，２６Ａとしている。また、これら押付補助部材２５Ａ，２５Ａのパネル厚さ方向外側に向く面は、互いに略平行状の平坦面状とされている。これら押付補助部材２５Ａ，２５Ａは、上記同様、縦フレーム１３Ａの長手方向に沿って間隔を空けて複数箇所に設けられたものでもよい。
縦フレーム１３Ａの溝底１７Ａを構成する溝底片部には、これら押付補助部材２５Ａ，２５Ａが挿通される挿通孔１８Ａ，１８Ａが設けられている。これら挿通孔１８Ａ，１８Ａは、挿入溝１４Ａの両内壁１５Ａ，１５Ａに沿うように設けられている。挿入溝１４Ａの両内壁１５Ａ，１５Ａは、本実施形態では、互いに略平行状の平坦面状とされている。
【００３０】
また、縦フレーム１３Ａの溝底片部のパネル幅方向外側には、これら押付補助部材２５Ａ，２５Ａのパネル幅方向外側部位を受け入れる凹部がパネル幅方向外側に向けて開口するように設けられている。挿通孔１８Ａ，１８Ａは、この凹部を区画する両内壁に沿うように設けられている。この凹部の各内壁は、挿入溝１４Ａの各内壁１５Ａ，１５Ａとそれぞれ略同一平面状とされている。また、この凹部の両内壁には、互いに対向する方向に向けて突出する抜止突起１９，１９が設けられている。
これら抜止突起１９，１９に、挿通孔１８Ａ，１８Ａに挿通された押付補助部材２５Ａ，２５Ａのパネル幅方向外側端部が当接し、押付補助部材２５Ａ，２５Ａのパネル幅方向外側への移動が規制される。
【００３１】
端部保持部材２０Ａは、上記と概ね同様の略平板状の連結片部２３Ａのパネル厚さ方向両側端部からパネル幅方向中央側に向けて突出するように両側片部２１Ａ，２１Ａを設けた構成とされている。これら両側片部２１Ａ，２１Ａの溝底１７側部位と挿入溝１４Ａの各内壁１５Ａ，１５Ａとの間には、押付補助部材２５Ａ，２５Ａの挿入が可能な隙間が形成されている。また、これら両側片部２１Ａ，２１Ａは、パネル厚さ方向外側に向く面が、パネル幅方向外側に向かうに従いパネル厚さ方向中央側に向けて傾斜する傾斜面とされている。これら両側片部２１Ａ，２１Ａのパネル厚さ方向外側に向く面は、それぞれが当接される押付補助部材２５Ａ，２５Ａの傾斜面２６Ａ，２６Ａと略平行状の傾斜面とされている。また、これら両側片部２１Ａ，２１Ａの突出方向先端部には、互いに向き合う方向に向けて突出する押圧部２２Ａ，２２Ａが設けられている。図例では、押圧部２２Ａ，２２Ａを、端部保持部材２０Ａの長手方向に見て略半円状の凸部とした例を示している。
【００３２】
この端部保持部材２０Ａは、上記同様、両側片部２１Ａ，２１Ａと連結片部２３Ａとが異材質成形等によって一体的に形成された樹脂成形品でもよく、同質材から形成されたものでもよい。
上記構成とされたパネル１Ａにおいては、押付補助部材２５Ａ，２５Ａを挿通孔１８Ａ，１８Ａに挿通すれば、端部保持部材２０Ａの両側片部２１Ａ，２１Ａが挿入溝１４Ａの各内壁１５Ａ，１５Ａから離間するようにパネル厚さ方向中央側に向けて変位する。これにより、図３（ａ）に示すように、両側片部２１Ａ，２１Ａの押圧部２２Ａ，２２Ａが板状体１０の端部１０ａに押し付けられる。
【００３３】
上記構成とされた本実施形態に係るパネル１Ａにおいても、上記第１実施形態と同様な効果を奏する。また、本実施形態では、挿入溝１４Ａの両内壁１５Ａ，１５Ａと端部保持部材２０Ａの両側片部２１Ａ，２１Ａとの間に挿入されて両側片部２１Ａ，２１Ａのそれぞれを板状体１０の端部１０ａに押し付ける一対の押付補助部材２５Ａ，２５Ａを設けた構成としている。従って、両側片部２１Ａ，２１Ａを言わば直接的に押付補助部材２５Ａ，２５Ａによって板状体１０の端部１０ａに向けて押し付けることができ、縦フレーム１３Ａと板状体１０との結合強度をより向上させることができる。
また、本実施形態では、押付補助部材２５Ａ，２５Ａを、パネル幅方向外側部位の厚さ寸法よりもパネル幅方向中央側部位の厚さ寸法が小とされた楔状とし、端部保持部材２０Ａの両側片部２１Ａ，２１Ａのパネル厚さ方向外側に向く面を上記のような傾斜面としている。従って、押付補助部材２５Ａ，２５Ａをパネル幅方向の全体に亘って一様な厚さ寸法としたものと比べて、押付補助部材２５Ａ，２５Ａの挿通孔１８Ａ，１８Ａへの挿入性を向上させることができる。
【００３４】
なお、上記のような態様に代えて、押付補助部材２５Ａ，２５Ａをパネル幅方向の全体に亘って一様な厚さ寸法とされたものとしてもよい。
また、上記各実施形態において説明した縦フレーム１３，１３Ａの挿入溝１４，１４Ａや端部保持部材２０，２０Ａ、押付補助部材２５，２５Ａの構成は、一例に過ぎず、その他、種々の変形が可能である。
【符号の説明】
【００３５】
１，１Ａ      パネル
１０          板状体
１０ａ        端部
１３，１３Ａ  縦フレーム（フレーム）
１４，１４Ａ  挿入溝
１５，１５Ａ  内壁
１７，１７Ａ  溝底
２０，２０Ａ  端部保持部材
２１，２１Ａ  側片部
２２，２２Ａ  押圧部
２３，２３Ａ  連結片部
２５，２５Ａ  押付補助部材
２７          進出部
【図１】
2019027118.tif 000003
【図２】
2019027118.tif 000004
【図３】
2019027118.tif 000005